(57)【要約】【課題】種々装飾品を女性の胸元に飾ることができ、種々ストラップ幅を有する衣服にも装飾品を簡単に装着可能な装飾品用保持金具を提供する。【解決手段】装飾品用保持金具１は、上側保持部材２と下側保持部材３とを支持ピンを介して開閉自在に支持すると共に、下側保持部材３の後端部３３に装飾品の一端部を連結自在としてある。通常時には、上側保持部材２と下側保持部材３の後端部２３，３３の間に先端部を閉鎖させる弾性力を付勢し、開放時には、上側保持部材２と下側保持部材３との間にストラップを挿通する間隙を画成してある。閉鎖時には、上側保持部材２と下側保持部材３の先端部２２，３２同士が当接すると共に、上側保持部材２の中間部２１と下側保持部材３の中間部に形成した隆起部３６によりストラップを挟持するようになっている。【選択図】図５
2015136619.tif 000002
【特許請求の範囲】
【請求項１】
装飾品を衣服に係止するために使用する装飾品用保持金具であって、上側保持部材と下側保持部材とを支持ピンを介して開閉自在に支持すると共に、前記下側保持部材の後端部に装飾品の一端部を連結自在とし、通常時には、前記上側保持部材と下側保持部材の後端部の間に先端部を閉鎖させる弾性力を付勢し、開放時には、前記上側保持部材と下側保持部材との間に前記衣服を挿通する間隙を画成し、閉鎖時には、前記上側保持部材と下側保持部材の先端部同士が当接すると共に、前記上側保持部材の中間部と前記下側保持部材の中間部に形成した隆起部によって前記衣服を挟持するように構成したことを特徴とする装飾品用保持金具。
【請求項２】
請求項１に記載の装飾品用保持金具であって、前記上側保持部材の先端部の下面に凸部を形成し、前記下側保持部材の先端部の上面に凹部を形成し、装飾品用保持金具の閉鎖時には、前記凸部と前記凹部とが嵌合することを特徴とする装飾品用保持金具。
【請求項３】
請求項１または２に記載の装飾品用保持金具であって、前記上側保持部材の後端部は、上方に傾斜させて形成したことを特徴とする装飾品用保持金具。
【請求項４】
請求項１から３のいずれか一項に記載の装飾品用保持金具であって、前記下側保持部材の隆起部は、粘弾性の高い材料で形成したことを特徴とする装飾品用保持金具。
【請求項５】
請求項１から４のいずれか一項に記載の装飾品用保持金具と前記装飾品用保持金具に連結されている前記装飾品と、を備える装飾品組立体。
【発明の詳細な説明】
【技術分野】
【０００１】
本発明は、ネックレス、ペンダント等の装飾品をキャミソール、スリップ、ブラジャー等の女性用衣服のストラップに係止して、女性の胸元を豪華に装飾することができると共に、異なる装飾品をも簡単に装着することができる装飾品用保持金具に関する。
【背景技術】
【０００２】
従来、ブラジャーの両側のストラップに留め具を係止し、その留め具の間にチェーンを掛け渡し、チェーンの中央部に別のチェーンを垂下して、そのチェーンの下部に宝石、金属等を装着したブラジャー用装飾物が知られている（特許文献１参照）。
【先行技術文献】
【特許文献】
【０００３】
【特許文献１】実用新案登録第３１８１３６９号公報
【発明の概要】
【発明が解決しようとする課題】
【０００４】
上記特許文献１に記載のブラジャー用装飾物は、ブラジャーのストラップ間にチェーンを掛け渡し、チェーンの中央部に別のチェーンを垂下して、装飾品を装着するものであったから、ネックレス、ペンダント等の種々装飾品を胸元に飾ることはできなかった。
又、ブラジャーのストラップの幅に合致する留め具を使用して係止するため、キャミソール、スリップ、ブラジャー等の種々ストラップ幅を有する女性用衣服には、簡単に装飾品を装着することはできなかった。
【０００５】
本発明は、かかる問題点を解決するために為されたものであって、その目的とするところは、ネックレス、ペンダント等の種々装飾品を女性の胸元に飾ることができると共に、種々ストラップ幅を有する女性用衣服にも装飾品を簡単に装着することができる装飾品用保持金具を提供することにある。
【課題を解決するための手段】
【０００６】
上記目的を達成するために、本発明の装飾品用保持金具は、上側保持部材と下側保持部材とを支持ピンを介して開閉自在に支持すると共に、前記下側保持部材の後端部に装飾品の一端部を連結自在とし、通常時には、前記上側保持部材と下側保持部材の後端部の間に先端部を閉鎖させる弾性力を付勢し、開放時には、前記上側保持部材と下側保持部材との間にストラップを挿通する間隙を画成し、閉鎖時には、前記上側保持部材と下側保持部材の先端部同士が当接すると共に、前記上側保持部材の中間部と前記下側保持部材の中間部に形成した隆起部によってストラップを挟持するように構成したことを特徴とする。
【０００７】
前記上側保持部材の先端部の下面に凸部を形成し、前記下側保持部材の先端部の上面に凹部を形成し、装飾品用保持金具の閉鎖時には、前記凸部と前記凹部とが嵌合することが好ましい。
【０００８】
前記上側保持部材の後端部は、上方に傾斜させて形成したから、後端部に配置した弾性部材によって弾性力を十分に付勢することができる。
【０００９】
前記下側保持部材の隆起部は、粘弾性の高い材料で形成したから、前記上側保持部材の中間部と前記下側保持部材の中間部に形成した隆起部によってストラップを確実に挟持することができる。
【００１０】
前記上側保持部材の中間部に複数の小孔を形成すれば、製造時に気泡が発生することによって不良品が発生するのを防止することができる。
【発明の効果】
【００１１】
本発明の装飾品用保持金具によれば、ネックレス、ペンダント等の装飾品をキャミソール、スリップ、ブラジャー等の種々ストラップに係止して、女性の胸元を豪華に装飾することができる。
又、ネックレス、ペンダント等の異なる装飾品を簡単に装着することができ、着脱、交換も容易に行うことができる。
【図面の簡単な説明】
【００１２】
【図１】本発明の装飾品用保持金具の（Ａ）は平面図、（Ｂ）は正面図、（Ｃ）は底面図である。
【図２】図１の装飾品用保持金具の上側保持部材の（Ａ）は正面図、（Ｂ）は底面図である。
【図３】図１の装飾品用保持金具の下側保持部材の（Ａ）は平面図、（Ｂ）は正面図である。
【図４】図１の装飾品用保持金具をネックレスの両端部に装着した状態を示す正面図である。
【図５】図１の装飾品用保持金具をキャミソールのストラップに係止する方法を説明する図であって、（Ａ）は先端部を開放してストラップを中間部に挿入した状態を示す正面図、（Ｂ）は先端部を閉鎖してストラップを中間部及び隆起部によって挟持した状態を示す正面図である。
【図６】図１の装飾品用保持金具を使用して、ネックレスをキャミソールのストラップに装着した状態を示す正面図である。
【図７】本発明の他実施例の装飾品用保持金具の上側保持部材の平面図である。
【図８】本発明の他実施例の装飾品用保持金具の上側保持部材の平面図である。
【図９】本発明の他実施例の装飾品用保持金具の下側保持部材の平面図である。
【図１０】本発明の他実施例の装飾品用保持金具の下側保持部材の平面図である。
【発明を実施するための形態】
【００１３】
以下、本発明の装飾品用保持金具の好適な実施形態について、図面を参照して詳細に説明する。
【００１４】
本発明の装飾品用保持金具１は、図１に示すように、上側保持部材２と、下側保持部材３と、弾性部材４と、支持ピン５と、リング６とから構成される。
【００１５】
上側保持部材２は、鉄、ステンレス鋼、銅、アルミニウム等の金属材料から成り、鋳造成形、プレス成形等によって成形してある。鉄、銅等の場合には、防錆性及び装飾性の観点から、表面に銀、金等のメッキを施してある。
上側保持部材２は、図２に示すように、中間部２１は平面から視て略円形板状としてあるが、先端部２２は中間部２１の下面２５よりも下方に突出させ、先端部２２の下面には線状に凸部２２ａを形成してある。
後端部２３は平面から視て漸次幅狭としてあると共に、正面から視て上方に傾斜させてある。又、後端部２３の下面には弾性部材４を設置する陥没穴２３ａを形成してある。
中間部２１の後方下面にはピン挿通部２４を形成してあり、ピン挿通部２４には挿通孔２４ａを穿設してある。
【００１６】
下側保持部材３も、鉄、ステンレス鋼、銅、アルミニウム等の金属材料から成り、鋳造成形、プレス成形等によって成形してある。鉄、銅等の場合には、防錆性及び装飾性の観点から、表面に銀、金等のメッキを施してある。
下側保持部材３は、図３に示すように、中間部３１は平面から視て略円形板状としてあるが、先端部３２は中間部３１の上面３５よりも上方に若干隆起させ、先端部３２の上面には線状に凹部３２ａを形成してある。
そして、上側保持部材２と下側保持部材３の先端部２２，３２を当接して閉鎖した時、前記凸部２２ａは前記凹部３２ａに嵌合するようになっている。尚、上側保持部材２に凹部を下側保持部材３に凸部を形成することもできる。
後端部３３は平面から視て漸次幅狭としてあり、後端部３３の上面には弾性部材４を設置する陥没穴３３ａを形成してある。
中間部３１の後方上面にはピン挿通部３４，３４を形成してあり、ピン挿通部３４，３４には挿通孔３４ａ，３４ａを穿設してある。
中間部３１の中央上面には隆起部３６を形成してある。隆起部３６は、中間部３１の上面３５に固着した小径の鋼製円盤体３６ａの上方からシリコン樹脂製被覆体３６ｂを被覆したものである。
尚、被覆体３６ｂの材料としては、シリコン樹脂以外の粘弾性の高い材料を使用するのが好ましいが、挟持する力は減少するものの、柔軟性を有する合成ゴム材料を使用してもよい。
さらに、後端部３３には環状部３７を接続してあり、環状部３７には連結孔３７ａを形成してある。
【００１７】
弾性部材４は、図１に示すように、圧縮バネであって、その上端及び下端を前記上側保持部材２の陥没穴２３ａ及び下側保持部材３の陥没穴３３ａに位置させ、横方向には移動しないようにしてある。
【００１８】
支持ピン５は、図１に示すように、上側保持部材２のピン挿通部２４と下側保持部材３のピン挿通部３４の軸心を一致させ、挿通孔２４ａ及び挿通孔３４ａに挿通することによって、上側保持部材２と下側保持部材３とを回動自在に合体させるようになっている。
【００１９】
リング６は、図１に示すように、下側保持部材３の環状部３７の連結孔３７ａに挿通して連結してあり、リング６の連結孔６ａを介してネックレス、ペンダント等の装飾品を連結できるようになっている。
【００２０】
本発明の装飾品用保持金具１の各構成部材は以上の通りであって、以下の手順によって装飾品用保持金具１を組立て、構成することができる。
【００２１】
先ず、下側保持部材３の陥没穴３３ａに弾性部材４の下端を位置させ、上側保持部材２のピン挿通部２４と下側保持部材３のピン挿通部３４の軸心を一致させ、上側保持部材２の陥没穴２３ａに弾性部材４の上端を位置させる。
【００２２】
次に、上側保持部材２と下側保持部材３とを上下方向より押圧しながら、支持ピン５を挿通孔２４ａ及び挿通孔３４ａに挿通すれば、図１に示すような装飾品用保持金具１を組立て、構成することができる。
【００２３】
本発明の装飾品用保持金具１は、以上のような構成であるから、図４に示すように、ネックレス７の両端部の留め金に、リング６，６を介して装飾品用保持金具１，１を連結することができる。
【００２４】
そして、上側保持部材２及び下側保持部材３の後端部２３，３３を弾性部材４の弾性力に抗して手指で内方へ押圧すれば、図５（Ａ）に示すように、先端部２２，３２の凸部２２ａと凹部３２ａが離反して先端部２２，３２が開放される。この時、中間部２１，３１の下面２５と上面３５との間隙も広くなり、中間部２１，３１の下面２５と上面３５との間隙にキャミソール８のストラップ８ａを挿通することができる。
【００２５】
次に、手指で後端部２３，３３を押圧するのを止めれば、図５（Ｂ）に示すように、弾性部材４の弾性力によって先端部２２，３２は当接し、閉鎖される。この時、中間部２１，３１の下面２５と上面３５との間隙は狭くなり、ストラップ８ａは、中間部２１の下面２５と隆起部３６の上面とによって挟持され、ストラップ８ａの適宜部所に装飾品用保持金具１を装着することができる。
【００２６】
以上のようにして、ネックレス７の両端部の留め金にリング６，６を介して連結した装飾品用保持金具１，１をキャミソール８のストラップ８ａ，８ａの適宜部所に装着することができ、図６に示すように、装飾品用保持金具１，１が脱落することなく、ネックレス７を女性の胸元に飾ることができる。
【００２７】
一方、上記と逆の手順によって、装飾品用保持金具１の後端部２３，３３を手指で内方へ押圧すれば、先端部２２，３２が開放され、中間部２１，３１の下面２５と上面３５との間隙も広くなるから、キャミソール８のストラップ８ａ，８ａから装飾品用保持金具１，１を離脱させることができ、簡単にネックレス７を外すことができる。
【００２８】
上記実施例の如く、上側保持部材２は、先端部２２を下方に突出させ、後端部２３を上方に傾斜させてある等、製造工程において金属材料を大いに変形させるため、製造時に気泡が発生し易く、不良品が発生し易いという問題がある。
そこで、製造時に気泡が発生するのを防止するため、図７に示すように、上側保持部材１０２の中間部２１の表面に複数の小孔２１ａを形成するようにしてもよい。
【００２９】
上側保持部材２の表面に銀、金等のメッキを施した場合、装飾品用保持金具１に光沢が生じるので、身に着ける衣服、装飾品との適合性がよくないこともある。
そこで、上側保持部材２の表面にショットブラスト等による表面処理を行うことによって、表面を粗して、光沢を軽減するようにしてもよい。
【００３０】
本発明の装飾品用保持金具１は、それ自体でも一種の装飾品になり得るので、図８に示すように、上側保持部材２０２の表面に個人、会社を表示するマーク、イニシャル等を付するようにしてもよい。
このマーク等は、表面をレーザー加工することによって直接刻印したり、マークを表示したシールを表面に貼着する等によって付することができる。
【００３１】
上記実施例では、下側保持部材３の中間部３１の中央上面に固着した鋼製円盤体３６ａにシリコン樹脂製被覆体３６ｂを被覆して隆起部３６を形成したが、図９に示すように、下側保持部材１０３の中間部３１の中央部に、ピン挿通部３４の軸方向に伸びる矩形陥没部３１ａを形成し、この陥没部３１ａ内にシリコン樹脂を溶着する等して隆起部３１ｂを形成してもよい。
【００３２】
又、図１０に示すように、下側保持部材２０３の中間部３１の中央部に、ピン挿通部３４の軸方向と直角方向に伸びる矩形陥没部３１ｃを形成し、この陥没部３１ｃ内にシリコン樹脂を溶着する等して隆起部３１ｄを形成してもよい。
【００３３】
下側保持部材３の底面は肌に直接触れるので、金属アレルギーをもっている女性の場合には本発明の装飾品用保持金具１を使用することが難しい場合がある。
そこで、下側保持部材３の底面にシリコン樹脂シートを貼着したり、シリコン樹脂を被覆することによって、金属が肌に直接触れないようにして、金属アレルギーを防止するようにしてもよい。
【００３４】
上記実施例では、弾性部材４として圧縮バネを使用したが、耐水性、耐熱性、耐環境性等に優れ、弾性係数の高い合成ゴムを使用することもできる。
【００３５】
本発明の装飾品用保持金具１では、弾性部材４の弾性力によって先端部２２，３２同士が当接し、閉鎖されるが、この当接力は比較的に強いから、この先端部２２，３２間にもストラップを挟持して、より強固に保持することもできる。
【００３６】
さらに、装飾品用保持金具１の後端部３３にペンダントのチェーン等を連結し、衣服の襟部、ポケットの挿入部等を装飾品用保持金具１の先端部２２，３２で挟持して、保持すれば、１個の装飾品用保持金具１のみを使用して、ペンダント等の装飾品を垂下して飾る
こともできる。
【００３７】
以上のように、本発明の装飾品用保持金具によれば、ネックレス、ペンダント等の種々装飾品を女性の胸元に飾ることができると共に、種々ストラップ幅を有する女性用衣服にも装飾品を簡単に装着することができ、極めて実用的である。
【符号の説明】
【００３８】
１  装飾品用保持金具
２  上側保持部材
２１  中間部
２２  先端部
２２ａ  凸部
２３  後端部
３  下側保持部材
３１  中間部
３２  先端部
３２ａ  凹部
３３  後端部
３６  隆起部
４  弾性部材
５  支持ピン
６  リング
７  ネックレス
８  キャミソール
８ａ  ストラップ
【図１】
2015136619.tif 000003
【図２】
2015136619.tif 000004
【図３】
2015136619.tif 000005
【図４】
2015136619.tif 000006
【図５】
2015136619.tif 000007
【図６】
2015136619.tif 000008
【図７】
2015136619.tif 000009
【図８】
2015136619.tif 000010
【図９】
2015136619.tif 000011
【図１０】
2015136619.tif 000012
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
装飾品を衣服に係止するために使用する装飾品用保持金具であって、その装飾品用保持金具は、
上側保持部材と、
前記上側保持部材に対して、枢軸の周りに回動可能に枢支される下側保持部材と、
前記上側保持部材と前記下側保持部材の先端部同士が当接する方向に、前記上側保持部材と前記下側保持部材とを相対的に付勢する付勢部材と、
前記上側保持部材と前記下側保持部材の先端部とが当接する箇所と、前記枢軸と、の間において、前記上側保持部材に向かって突出するように前記下側保持部材に配置される隆起部であって、頭頂部が粘弾性の高い材料で形成され平坦である前記隆起部とを備え、
前記上側保持部材と前記下側保持部材の先端部同士が当接した状態において、前記枢軸の方向から見たときに、前記隆起部の頭頂部と前記上側保持部材の面との間に間隙を有し、
前記衣服は、前記上側保持部材と前記下側保持部材の先端部同士を離間して開放した際にその間隙内に導入され、前記付勢部材の付勢力によって前記隆起部と前記上側保持部材の面との間で前記衣服を挟持する装飾品用保持金具。
【請求項２】
請求項１に記載の装飾品用保持金具であって、
前記間隙において、前記上側保持部材の縁部は、前記枢軸方向から見たときにおける前記隆起部の形状と前記上側保持部材の外形とが重ならないような曲線形状を描くように形成される装飾品用保持金具。
【請求項３】
請求項１または２に記載の装飾品用保持金具であって、その突出する方向から見た前記隆起部の断面は円形である装飾品用保持金具。
【請求項４】
請求項１から３のいずれか一項に記載の装飾品用保持金具であって、
前記上側保持部材の後端部は上方に傾斜させ、前記下側保持部材の外面は平面であって、その平面には粘弾性の高い材料が貼り付けてある装飾品用保持金具。
【請求項５】
請求項１から４のいずれか一項に記載の装飾品用保持金具と前記装飾品用保持金具に連結されている前記装飾品と、を備える装飾品組立体。